(57)【要約】【課題】ＦＴＰを利用する既存のシステムの変更を最小限に抑えつつ、記録手段内の１つのＡＶデータファイルのうちの一部分のデータのみをクライアントに転送する。【解決手段】クライアント１は、記録手段３内の１つのＡＶデータファイルのうちの一部分のＡＶデータのみを転送要求する場合、ＦＴＰにおけるファイル転送要求用のコマンドをＦＴＰサーバー２に送るととともに、このコマンドの後に続くファイル名として、そのファイルのファイル名にその一部分のＡＶデータを表すパラメータを付加したファイル名を用いる。ＦＴＰサーバー２は、クライアント１から送られたこのファイル転送要求用コマンドの後に続くファイル名としてこのパラメータを付加したファイル名が用いられている場合、そのファイル名のファイルのうちこのパラメータで特定された部分のＡＶデータのみを記録手段３から読み出して１つのファイルとしてクライアント１に転送する。【選択図】        図１
2004246614.tif 000002
【特許請求の範囲】
【請求項１】
ＡＶデータのファイルを記録する記録手段と、
クライアントと、
ＦＴＰサーバーと
を備えており、
前記クライアントは、前記記録手段に記録されている１つのファイル全体の転送要求を行う場合には、ファイル転送プロトコルにおけるファイル転送要求用のコマンドを前記ＦＴＰサーバーに送るととともに、該コマンドの後に続けて送信するファイル名として該ファイルのファイル名を用い、他方、前記記録手段に記録されている１つのファイルのうちの一部分のＡＶデータのみの転送要求を行う場合には、前記ファイル転送要求用のコマンドを前記ＦＴＰサーバーに送るととともに、該コマンドの後に続けて送信するファイル名として、該ファイルのファイル名に該一部分のＡＶデータを表すパラメータを付加したファイル名を用い、
前記ＦＴＰサーバーは、前記クライアントから送られた前記ファイル転送要求用のコマンドの後に続くファイル名として前記パラメータが付加されていないファイル名が用いられている場合には、該ファイル名のファイル全体を前記記録手段から読み出して前記クライアントに転送し、他方、前記クライアントから送られた前記ファイル転送要求用のコマンドの後に続くファイル名として前記パラメータが付加されたファイル名が用いられている場合には、該ファイル名のファイルのうち該パラメータで特定された部分のＡＶデータを前記記録手段から読み出して該ＡＶデータを該ファイルとは別の１つのファイルとして前記クライアントに転送する
ことを特徴とするＡＶデータファイルの転送システム。
【請求項２】
請求項１に記載のＡＶデータファイルの転送システムにおいて、
前記パラメータは、１つのファイルにおける転送要求を行うＡＶデータの開始位置及び終了位置を示す情報であることを特徴とするＡＶデータファイルの転送システム。
【請求項３】
請求項１に記載のＡＶデータファイルの転送システムにおいて、
前記パラメータは、１つのファイルにおける転送要求を行うＡＶデータの開始位置及びデータ長を示す情報であることを特徴とするＡＶデータファイルの転送システム。
【請求項４】
請求項１に記載のＡＶデータファイルの転送システムにおいて、
前記記録手段には、所定の符号化方式により圧縮されるとともにヘッダーを付加されたＡＶデータのファイルが記録され、
前記ＦＴＰサーバーは、前記ヘッダーを参照して、前記パラメータで特定された部分のＡＶデータを前記記録手段から読み出す
ことを特徴とするＡＶデータファイルの転送システム。
【請求項５】
クライアントが、ＡＶデータのファイルを記録する記録手段に記録されている１つのファイル全体の転送要求を行う場合には、ファイル転送プロトコルにおけるファイル転送要求用のコマンドをＦＴＰサーバーに送るととともに、該コマンドの後に続けて送信するファイル名として該ファイルのファイル名を用い、他方、前記記録手段に記録されている１つのファイルのうちの一部分のＡＶデータのみの転送要求を行う場合には、前記ファイル転送要求用のコマンドを前記ＦＴＰサーバーに送るととともに、該コマンドの後に続けて送信するファイル名として、該ファイルのファイル名に該一部分のＡＶデータを表すパラメータを付加したファイル名を用いる第１のステップと、
前記ＦＴＰサーバーが、前記クライアントから送られた前記ファイル転送要求用のコマンドの後に続くファイル名として前記パラメータが付加されていないファイル名が用いられている場合には、該ファイル名のファイル全体を前記記録手段から読み出して前記クライアントに転送し、他方、前記クライアントから送られた前記ファイル転送要求用のコマンドの後に続くファイル名として前記パラメータが付加されたファイル名が用いられている場合には、該ファイル名のファイルのうち該パラメータで特定された部分のＡＶデータを前記記録手段から読み出して該ＡＶデータを該ファイルとは別の１つのファイルとして前記クライアントに転送する第２のステップと
を有することを特徴とするＡＶデータファイルの転送方法。
【請求項６】
請求項５に記載のＡＶデータファイルの転送方法において、
前記パラメータは、１つのファイルにおける転送要求を行うＡＶデータの開始位置及び終了位置を示す情報であることを特徴とするＡＶデータファイルの転送方法。
【請求項７】
請求項５に記載のＡＶデータファイルの転送方法において、
前記パラメータは、１つのファイルにおける転送要求を行うＡＶデータの開始位置及びデータ長を示す情報であることを特徴とするＡＶデータファイルの転送方法。
【請求項８】
請求項５に記載のＡＶデータファイルの転送方法において、
前記記録手段には、所定の符号化方式により圧縮されるとともにヘッダーを付加されたＡＶデータのファイルが記録され、
前記第２ステップで、ＦＴＰサーバーが、前記ヘッダーを参照して、前記パラメータで特定された部分のＡＶデータを前記記録手段から読み出す
ことを特徴とするＡＶデータファイルの転送方法。
【発明の詳細な説明】
【０００１】
【発明の属する技術分野】
本発明は、例えば、ＡＶサーバーから１つのＡＶデータファイルのうちの一部分のＡＶデータのみをファイル転送プロトコルによって編集端末に転送するためのシステム及び方法に関する。
【０００２】
【従来の技術】
今日、放送局では、素材であるＡＶデータ（映像データ及び音声データ）を、大容量のＡＶサーバーにファイルとして蓄積することが一般的になっている。
【０００３】
ＡＶサーバーは、一般に、ＳＤＩ（Ｓｅｒｉａｌ  Ｄｉｇｉｔａｌ  Ｉｎｔｅｒｆａｃｅ）のような同期系の入出力ポートを複数有するとともに、複数台のハードディスクドライブを用いて構成したＲＡＩＤ（Ｒｅｄｕｎｔａｎｔ  Ａｒｒａｙｓ  ｏｆ  Ｉｎｅｘｐｅｎｓｉｖｅ  Ｄｉｓｋｓ）を有している。
【０００４】
外部（放送局内のＶＴＲや、放送局と広域ネットワークで結ばれた取材現場のビデオカメラ等）からＡＶサーバーに送られたＡＶデータは、それぞれいずれかの入出力ポートに入力されて、その入出力ポートで圧縮処理等を施される。そして、その入出力ポートからＲＡＩＤに送られて、ＲＡＩＤにファイルとして記録される。
【０００５】
また、ＲＡＩＤから読み出されていずれかの入出力ポートに送られたＡＶデータは、その入出力ポートで伸長処理等を施される。そして、その入出力ポートから出力されて、ＡＶサーバーから外部（オンエア用サーバーやバックアップ用サーバー等）に送られる。
【０００６】
ところで、放送局では、ＡＶサーバーに蓄積した素材をオンエア時にそのまま送出するのではなく、その素材を編集端末（ノンリニア編集機）で編集し、その編集結果（いわゆる「完パケ」）を番組放送時に送出することが一般である。したがって、ＡＶサーバーに蓄積したＡＶデータを、編集作業のために編集端末に読み込むことが必要になる。
【０００７】
編集端末にＡＶデータを読み込むための方法の１つとして、ＡＶサーバーからＦＴＰ（ファイル転送プロトコル）によって編集端末にＡＶデータを転送させる方法が存在する。
【０００８】
ＦＴＰはファイル全体を転送するプロトコルとして定義されているので、そのままでは、１つの素材（ファイル）全体を転送することしかできず、１つ素材のうちの一部分のＡＶデータのみを転送することはできない。
【０００９】
しかるに、編集作業を行うためには、１つの素材全体を編集端末に読み込むことが必要であるとは限らず、そのうちの一部分のみ（例えば取材現場のビデオカメラから数十分に亘って送られた素材のうちの特定のシーンの部分のみ）を編集端末に読み込めば足りる場合も少なくない。
【００１０】
そのような場合にも１つの素材全体を編集端末を転送すると、読込みが完了するまでの所要時間が長くなるので編集作業の開始が遅れてしまうとともに、読み込まれた素材のうち編集に不必要な部分を編集端末から消去する操作を編集端末のオペレータがわざわざ行わなければならなくなる。さらに、ＡＶサーバーと多数の編集端末とがネットワークで結ばれているような場合には、そのネットワークの負荷の無用な増大を招いてしまう。
【００１１】
そこで、本出願人は、ＦＴＰを利用しつつ、ＡＶサーバーから１つのファイルのうちの一部分のＡＶデータのみを編集端末のようなクライアントに転送できるようにした転送方法を既に提案済みである。
【００１２】
この転送方法は、ローカルエリアネットワークで結んだパーソナルコンピュータ（クライアント），ビデオサーバー（ＡＶサーバー）にそれぞれ拡張ＦＴＰクライアント，拡張ＦＴＰサーバーというソフトウェアをインストールし、拡張ＦＴＰクライアントがデータ転送の開始を示すコマンドと共にファイル名・開始点のタイムコード・長さを示すタイムコードの情報を拡張ＦＴＰサーバーに送ることに応じて、拡張ＦＴＰサーバーがそのファイル名のファイルのうちその開始点からその長さ分のデータを拡張ＦＴＰクライアントに転送するようにしたものである（特許文献１参照）。
【００１３】
【特許文献１】
特開平９−２８２２１７号公報（段落番号００１１乃至００３２、図１乃至図４）
【００１４】
【発明が解決しようとする課題】
しかし、この拡張ＦＴＰクライアントが、データ転送の開始を示すコマンドとして、ＦＴＰにおけるコマンドとは異なるコマンドを拡張ＦＴＰサーバーに送るとすると、コマンドの種類そのものをＦＴＰよりも拡張することになるので、ＦＴＰを利用する既存のシステムにおいてソフトウェアの大幅な変更が必要になってしまう。
【００１５】
本発明は、上述の点に鑑み、ＦＴＰを利用する既存のシステムにおけるソフトウェアの変更を最小限に抑えつつ、ＡＶサーバーのような記録手段に記録されている１つのファイルのうちの一部分のＡＶデータのみをクライアントに転送できるようにすることを課題としてなされたものである。
【００１６】
【課題を解決するための手段】
この課題を解決するために、本出願人は、ＡＶデータのファイルを記録する記録手段と、クライアントと、ＦＴＰサーバーとを備えており、クライアントは、記録手段に記録されている１つのファイル全体の転送要求を行う場合には、ファイル転送プロトコルにおけるファイル転送要求用のコマンドをＦＴＰサーバーに送るととともに、このコマンドの後に続けて送信するファイル名としてそのファイルのファイル名を用い、他方、記録手段に記録されている１つのファイルのうちの一部分のＡＶデータのみの転送要求を行う場合には、このファイル転送要求用のコマンドをＦＴＰサーバーに送るととともに、このコマンドの後に続けて送信するファイル名として、そのファイルのファイル名にその一部分のＡＶデータを表すパラメータを付加したファイル名を用い、ＦＴＰサーバーは、クライアントから送られたこのファイル転送要求用のコマンドの後に続くファイル名としてこのパラメータが付加されていないファイル名が用いられている場合には、そのファイル名のファイル全体を記録手段から読み出してクライアントに転送し、他方、クライアントから送られたこのファイル転送要求用のコマンドの後に続くファイル名としてこのパラメータが付加されたファイル名が用いられている場合には、そのファイル名のファイルのうちこのパラメータで特定された部分のＡＶデータを記録手段から読み出してそのＡＶデータをそのファイルとは別の１つのファイルとしてクライアントに転送するようにしたＡＶデータファイルの転送システムを提案する。
【００１７】
この転送システムでは、クライアントは、記録手段に記録されている１つのファイル全体の転送要求を行う場合にも、記録手段に記録されている１つのファイルのうちの一部分のＡＶデータのみの転送要求を行う場合にも、ＦＴＰにおけるファイル転送要求用のコマンドを用いる。ただし、１つのファイル全体の転送要求を行う場合には、そのコマンドの後に続くファイル名としてそのファイルのファイル名を用いるのに対し、１つのファイルのうちの一部分のＡＶデータのみの転送要求を行う場合には、このコマンドの後に続くファイル名として、そのファイルのファイル名にその一部分のＡＶデータを表すパラメータを付加したファイル名を用いる。
【００１８】
そして、ＦＴＰサーバーは、このコマンドの後に続くファイル名としてこのパラメータが付加されていないファイル名が用いられている場合には、そのファイル名のファイル全体を記録手段から読み出してクライアントに転送し、他方、このファイル転送要求用のコマンドの後に続くファイル名としてこのパラメータが付加されたファイル名が用いられている場合には、そのファイル名のファイルのうちこのパラメータで特定された部分のＡＶデータを記録手段から読み出してそのＡＶデータをそのファイルとは別の１つのファイルとしてクライアントに転送する。
【００１９】
このように、この転送システムによれば、クライアントが、ＦＴＰにおけるファイル転送要求用のコマンドを用いつつ（すなわちコマンドの種類そのものをＦＴＰよりも拡張することなく）、このコマンドの後に続けて送信するファイル名にパラメータを付加することによって、記録手段に記録されている１つのファイルのうちの一部分のＡＶデータのみがＦＴＰサーバーからクライアントに転送される。
【００２０】
これにより、ＦＴＰを利用する既存のシステムにおけるソフトウェアの変更を最小限に抑えつつ、記録手段に記録されている１つのファイルのうちの一部分のＡＶデータのみをクライアントに転送することができる。
【００２１】
なお、この転送システムにおいて、ファイル名に付加するパラメータとしては、例えばそのファイル名のファイルのうち転送要求を行うＡＶデータの開始位置及び終了位置を示す情報を用いたり、あるいはまたそのファイル名のファイルのうち転送要求を行うＡＶデータの開始位置及びデータ長を示す情報を用いるようにすればよい。
【００２２】
また、この転送システムにおいて、一例として、所定の符号化方式により圧縮されるとともにヘッダーを付加されたＡＶデータのファイルが記録手段に記録される場合には、ＦＴＰサーバーは、このヘッダーを参照して、パラメータで特定された部分のＡＶデータを記録手段から読み出すようにすればよい。
【００２３】
次に、本出願人は、クライアントが、ＡＶデータのファイルを記録する記録手段に記録されている１つのファイル全体の転送要求を行う場合には、ファイル転送プロトコルにおけるファイル転送要求用のコマンドをＦＴＰサーバーに送るととともに、このコマンドの後に続けて送信するファイル名としてそのファイルのファイル名を用い、他方、この記録手段に記録されている１つのファイルのうちの一部分のＡＶデータのみの転送要求を行う場合には、このファイル転送要求用のコマンドをこのＦＴＰサーバーに送るととともに、このコマンドの後に続けて送信するファイル名として、そのファイルのファイル名にその一部分のＡＶデータを表すパラメータを付加したファイル名を用いる第１のステップと、このＦＴＰサーバーが、このクライアントから送られたこのファイル転送要求用のコマンドの後に続くファイル名としてこのパラメータが付加されていないファイル名が用いられている場合には、そのファイル名のファイル全体をこの記録手段から読み出してこのクライアントに転送し、他方、このクライアントから送られたこのファイル転送要求用のコマンドの後に続くファイル名としてこのパラメータが付加されたファイル名が用いられている場合には、そのファイル名のファイルのうちこのパラメータで特定された部分のＡＶデータをこの記録手段から読み出してそのＡＶデータをそのファイルとは別の１つのファイルとしてこのクライアントに転送する第２のステップとを有するＡＶデータファイルの転送方法を提案する。
【００２４】
この転送方法によれば、前述の本発明に係る転送システムについて説明したのと全く同様にして、ＦＴＰを利用する既存のシステムにおけるソフトウェアの変更を最小限に抑えつつ、記録手段に記録されている１つのファイルのうちの一部分のＡＶデータのみをクライアントに転送することができる。
【００２５】
【発明の実施の形態】
以下、放送局等における編集システムに本発明を適用した例について、図面を用いて具体的に説明する。
【００２６】
図１は、本発明を適用した編集システムの全体構成を示す。この編集システムは、複数台の編集端末１と、ゲートウェイ２と、ＡＶサーバー３と、データベース４とを含んでいる。
【００２７】
図２は、ＡＶサーバー３の構成の概要を示す。ＡＶサーバー３には、ＳＤＩ規格の複数（ここでは２つずつ）の入力ポート１１，出力ポート１２と、ＲＡＩＤ１３と、ファイバーチャンネル（Ｆｉｂｒｅ  Ｃｈａｎｎｅｌ）  のインターフェース１４と、ＡＶサーバー３全体を制御するコントローラ１５とが、バス１６で接続されている。
【００２８】
各入力ポート１１は、所定の符号化方式（例えばＭＰＥＧ２）のエンコーダ１１ａと、バッファメモリ１１ｂとを含んでいる。各出力ポート１２は、入力ポート１１のエンコーダ１１ａと同じ符号化方式のデコーダ１２ａと、バッファメモリ１２ｂとを含んでいる。
【００２９】
外部（放送局内のＶＴＲや、放送局と広域ネットワークで結ばれた取材現場のビデオカメラ等）からＡＶサーバー３に供給されたＡＶデータは、いずれかの入力ポート１１に入力され、その入力ポート１１のエンコーダ１１ａにより、圧縮されるとともにヘッダーを付加される。このヘッダーには、圧縮したＡＶデータの位置情報が含まれる。
【００３０】
そして、図３に示すように、このヘッダーを付加された圧縮済みＡＶデータが、その入力ポート１１のバッファメモリ１１ｂからバス１６を介してＲＡＩＤ１３に送られて、ＲＡＩＤ１３にファイルとして記録される。
【００３１】
図１のデータベース４には、このようにしてＡＶサーバー３に蓄積されるＡＶデータファイルについてのインデックスデータ（ファイル名・収録日時情報・シーンチェンジ部分の静止画データ等）が、図示しない上位装置から送られて記憶される。
【００３２】
各編集端末１とゲートウェイ２とデータベース３とは、イーサネット５（「イーサネット」は登録商標）で結ばれている。また、図１及び図２に示すように、ゲートウェイ２とＡＶサーバー３とはファイバーチャンネルで接続されている。
【００３３】
各編集端末１は、ワークステーションのようなコンピュータで構成されている。編集端末１には、ＡＶデータを編集するためのソフトウェア（エディタ）がインストールされている。編集端末１には、このエディタにより、次の（１）〜（３）の操作画面を含む編集用の操作画面が表示される。
【００３４】
（１）ＡＶサーバー３に蓄積されているＡＶデータファイルのインデックスデータをデータベース４から参照して、所望のファイルを編集対象とすることを指示したり、さらにはそのファイルのうちの所望の一部分のＡＶデータのみを編集対象として指定するための操作画面。
【００３５】
この操作画面でＡＶデータの部分指定の方法には、次の（ａ），（ｂ）の方法が用意されている。
（ａ）その部分のＡＶデータの開始時間（または開始フレーム）及び終了時間（または終了フレーム）を入力する方法。
（ｂ）その部分のＡＶデータの開始時間（または開始フレーム）及び時間長（またはフレーム数）を入力する方法。
【００３６】
（２）編集対象のＡＶデータを編集する（イン点・アウト点の決定やタイムライン上での貼付け等を行う）ための操作画面。
（３）編集済みＡＶデータをＡＶサーバー３に記録するための操作画面。
【００３７】
図４は、このエディタによる編集端末１の処理のうち、編集端末１へのＡＶデータの読込みに関する処理を示す。
【００３８】
この処理は、上記（１）の操作画面で１つのファイルを編集対象とすることが指示される毎にスタートし、最初に、指示されたファイルのうちの一部分のＡＶデータのみを編集対象として指定する操作がこの操作画面で行われたか否かを判断する（ステップＳ１）。
【００３９】
イエスであれば、ファイル転送プロトコルにおけるファイル転送要求用のコマンドである‘ｇｅｔ’をイーサネット５経由でゲートウェイ２に送るとともに、コマンド‘ｇｅｔ’の後に続けて送信するファイル名として、その指示されたファイル名にその指定された一部分のＡＶデータを表すパラメータを付加したファイル名を用いる（ステップＳ２）。
【００４０】
他方ノーであれば、コマンド‘ｇｅｔ’をイーサネット５経由でゲートウェイ２に送るとともに、コマンド‘ｇｅｔ’の後に続けて送信するファイル名として、その指示されたファイル名を用いる（ステップＳ３）。
【００４１】
ステップＳ２またはＳ３を終えると、このコマンドの送信に応じてゲートウェイ２から転送されたＡＶデータファイルを、編集端末１の内蔵ハードディスクに記憶する（ステップＳ４）。そして処理を終了する。
【００４２】
前述の  （２）の操作画面では、この図４の処理によって編集端末１の内蔵ハードディスクに記憶されたＡＶデータが編集される。
【００４３】
図５は、この図４の処理のステップＳ２，Ｓ３でコマンド‘ｇｅｔ’に続けて送信されるファイル名を例示する図である。例えば、ファイル名「ｆｉｌｅ１」のファイルが編集対象として指示されるとともに、前述の（ａ）の方法で開始時間，終了時間をそれぞれ１分目，２分目と入力する（または開始フレーム，終了フレームをそれぞれ１８００フレーム目，３６００フレーム目と入力する）ことによって部分指定が行われたとすると、同図Ａのように、コマンド‘ｇｅｔ’に続けて送信するファイル名として、ファイル名「ｆｉｌｅ１」にその開始時間及び終了時間を表すパラメータ「ＳＯＭ０００１００００，ＥＯＭ０００２００００」を付加したファイル名「ｆｉｌｅ１：ＳＯＭ０００１００００：ＥＯＭ０００２００００」を用いる。
【００４４】
他方、ファイル名「ｆｉｌｅ１」のファイルが編集対象として指示されるとともに、前述の（ｂ）の方法で開始時間，時間長をそれぞれ１分目，２分間と入力する（または開始フレーム，フレーム数をそれぞれ１８００フレーム目，３６００フレームと入力する）ことによって部分指定が行われたとすると、図５Ｂのように、コマンド‘ｇｅｔ’に続けて送信するファイル名として、ファイル名「ｆｉｌｅ１」にその開始時間及び終了時間を表すパラメータ「ＳＯＭ０００１００００，ＤＵＲ０００２００００」を付加したファイル名「ｆｉｌｅ１：ＳＯＭ０００１００００：ＤＵＲ０００２００００」を用いる。
【００４５】
ＳＯＭは開始（Ｓｔａｒｔ  Ｏｆ  Ｍｅｓｓａｇｅ）を示す符号，ＥＯＭは終了（Ｅｎｄ  Ｏｆ  Ｍｅｓｓａｇｅ）を示す符号，ＤＵＲは長さ（Ｄｕｒａｔｉｏｎを示す符号）である。また、ＳＯＭ，ＥＯＭ，ＤＵＲにそれぞれ続く８桁の数字は、時分秒（１〜２桁目がミリ秒、３〜４桁目が秒、５〜６桁目が分、７〜８桁目が時）を示す。
【００４６】
他方、ファイル名「ｆｉｌｅ１」のファイルが編集対象として指示されたが部分指定は行われなかった場合には、図５Ｃのように、コマンド‘ｇｅｔ’に続けて送信するファイル名として、ファイル名「ｆｉｌｅ１」をそのまま用いる。
【００４７】
ゲートウェイ２は、ワークステーションのようなコンピュータで構成されている。ゲートウェイ２には、ＡＶサーバー３に記録されているＡＶデータを編集端末１に読み込ませたり、編集端末１から転送された編集済みＡＶデータをＡＶサーバー３に記録させたりするためのソフトウェアがインストールされている。
【００４８】
図６は、このソフトウェアによるゲートウェイ２の処理のうち、編集端末１へのＡＶデータの読込みに関する処理を示す。
【００４９】
この処理は、いずれかの編集端末１からコマンド‘ｇｅｔ’を受信する毎にスタートし、最初に、そのコマンド‘ｇｅｔ’に続いて受信したファイル名が、前述の符号ＳＯＭ及びＥＯＭまたはＳＯＭ及びＤＵＲを含むパラメータを付加されているものであるか否かを判断する（ステップＳ１１）。
【００５０】
イエスであれば、そのファイル名のうちのそのパラメータよりも前の部分と同じファイル名でＡＶサーバー３内のＲＡＩＤ１３に記録されているヘッダー（図３）内の位置情報をファイバーチャンネル経由で参照して、そのファイル内でのそのパラメータで表されたＡＶデータの位置を特定する（ステップＳ１２）。
【００５１】
すなわち、図５Ａに例示したようにＳＯＭ及びＥＯＭを含むパラメータがファイル名に付加されていた場合には、ステップＳ１２では、ファイル内でのＡＶデータの位置を、何ビット目から何ビット目までというように特定する。
【００５２】
他方、図５Ｂに例示したようにＳＯＭ及びＤＵＲを含むパラメータがファイル名に付加されていた場合には、ステップＳ１２では、ファイル内でのＡＶデータの位置を、何ビット目から何ビット分というように特定する。
【００５３】
続いて、そのファイルのうちのその特定したビット位置のＡＶデータのみをファイバーチャンネル経由でＡＶサーバー３内のＲＡＩＤ１３から読み出し、そのＡＶデータを、そのファイルとは別の１つのファイルとしてコマンドの送信元の編集端末１にイーサネット５経由で転送する（ステップＳ１３）。そして処理を終了する。
【００５４】
他方、ステップＳ１１でノーであれば、そのファイル名でＡＶサーバー３内のＲＡＩＤ１３に記録されているファイル全体のＡＶデータを、ファイバーチャンネル経由でＡＶサーバー３内のＲＡＩＤ１３から読み出してコマンドの送信元の編集端末１にイーサネット５経由で転送する（ステップＳ１４）。そして処理を終了する。
【００５５】
次に、この編集システムにおける編集の様子を、編集端末１へのＡＶデータの読込みを中心にして説明する。
【００５６】
いずれかの編集端末１のオペレータが、前述の（１）の操作画面で、ＡＶサーバー３に蓄積されているＡＶデータファイルのインデックスデータをデータベース４から参照して、或るファイルの一部分のＡＶデータのみ（例えば特定のシーンの部分のみ）を編集対象として指定したとする。
【００５７】
すると、その編集端末１から、コマンド‘ｇｅｔ’がゲートウェイ２に送られるとともに、コマンド‘ｇｅｔ’の後に続けて送信するファイル名として、そのファイルのファイル名にその指定された一部分のＡＶデータを表すパラメータを付加したファイル名が用いられる（図４のステップＳ１，Ｓ２）。
【００５８】
それに応じて、ゲートウェイ２により、そのファイル内でのその指定された部分のＡＶデータの位置が特定され、その特定された位置のＡＶデータのみがＡＶサーバー３から読み出されて１つのファイルとしてその編集端末１に転送される（図６のステップＳ１１〜Ｓ１３）。そして、そのＡＶデータが編集端末１に記憶される（図４のステップＳ４）。
【００５９】
その編集端末１のオペレータは、このようにして編集端末１にＡＶデータが読み込まれると、前述の（２）の操作画面で編集を行う。
【００６０】
その際、１つのファイルのうちのオペレータが指定した部分（編集に必要な部分）のＡＶデータのみがゲートウェイ２から転送されるので、読込みが完了するまでの所要時間が短くて済み、したがって迅速に編集作業を開始することができる。
【００６１】
また、１つのファイル全体のＡＶデータが読み込まれる場合と異なり、読み込まれたＡＶデータのうち編集に不必要な部分を編集端末１から消去する操作を行わなくて済むので、編集作業にかかる手間や時間も少なくなる。
【００６２】
さらに、このように編集に必要な部分のＡＶデータのみが転送されるので、イーサネット５の負荷も軽減される。
【００６３】
その編集端末１のオペレータが、ＡＶデータを編集をした後、編集済みのＡＶデータをＡＶサーバー３に記録する操作を前述の（３）の操作画面で行うと、編集済みのＡＶデータのファイルが、その編集端末１からゲートウェイ２に転送され、ゲートウェイ２によってＡＶサーバー３に記録される。
【００６４】
他方、いずれかの編集端末１のオペレータが、前述の（１）の操作画面で、ＡＶサーバー３に蓄積されているＡＶデータファイルのインデックスデータをデータベース４から参照して、或るファイルを編集対象として指示したがＡＶデータの部分指定は行わなかったとする。
【００６５】
すると、その編集端末１から、コマンド‘ｇｅｔ’がゲートウェイ２に送られるとともに、コマンド‘ｇｅｔ’の後に続けて送信するファイル名として、その指示されたファイルのファイル名がそのまま用いられる（図４のステップＳ１，Ｓ３）。
【００６６】
それに応じて、ゲートウェイ２により、そのファイル全体のＡＶデータがＡＶサーバー３から読み出されてその編集端末１に転送され（図６のステップＳ１１，Ｓ１４）、そのＡＶデータが編集端末１に記憶される（図４のステップＳ４）。
【００６７】
その編集端末１のオペレータが、前述の（２）の操作画面でそのＡＶデータを編集した後、編集済みのＡＶデータをＡＶサーバー３に記録する操作を前述の（３）の操作画面で行うと、編集済みのＡＶデータのファイルが、その編集端末１からゲートウェイ２に転送され、ゲートウェイ２によってＡＶサーバー３に記録される。
【００６８】
以上のように、この編集システムによれば、編集端末１が、ＦＴＰにおけるファイル転送要求用のコマンド‘ｇｅｔ’を用いつつ（すなわちコマンドの種類そのものをＦＴＰよりも拡張することなく）、このコマンド‘ｇｅｔ’の後に続けて送信するファイル名にパラメータを付加することによって、ＡＶサーバー３に記録されている１つのファイルのうちの一部分のＡＶデータのみがゲートウェイ２から編集端末１に転送される。
【００６９】
これにより、ＦＴＰを利用する既存の編集システムにおけるソフトウェアの変更を最小限に抑えつつ、ＡＶサーバーに記録されている１つのファイルのうちの一部分のＡＶデータのみを編集端末１に読み込んで、編集作業の迅速な開始や、編集作業にかかる手間や時間の減少や、イーサネット５の負荷の軽減を実現することができるようになっている。
【００７０】
なお、以上の例では、ＡＶサーバー３に記録されているＡＶデータのファイルを、ＡＶサーバー３とは別の装置であるゲートウェイ２からイーサネット５経由で編集端末１に転送している。しかし、例えばＡＶサーバー３がイーサネットへの接続用のインターフェースを有している場合には、ＡＶサーバー３と編集端末１とを直接イーサネット５で結ぶとともに、ＡＶサーバー３内のコントローラ１５に図６の処理を実行させることにより、ＡＶサーバー３から直接イーサネット５経由で編集端末１にＡＶデータのファイルを転送するようにしてもよい。
【００７１】
また、以上の例では、編集システムに本発明を適用している。しかし、これに限らず、記録手段に記録されている１つのファイルのうちの一部分のＡＶデータのみをクライアントに転送する必要のあるあらゆるシステムに本発明を適用してよい。
【００７２】
また、本発明は、以上の例に限らず、本発明の要旨を逸脱することなく、その他様々の構成をとりうることはもちろんである。
【００７３】
【発明の効果】
以上のように、本発明によれば、クライアントが、ＦＴＰにおけるファイル転送要求用のコマンドを用いつつ（すなわちコマンドの種類そのものをＦＴＰよりも拡張することなく）、このコマンドの後に続けて送信するファイル名にパラメータを付加することによって、記録手段に記録されている１つのファイルのうちの一部分のＡＶデータのみがＦＴＰサーバーからクライアントに転送される。
【００７４】
これにより、ＦＴＰを利用する既存のシステムにおけるソフトウェアの変更を最小限に抑えつつ、記録手段に記録されている１つのファイルのうちの一部分のＡＶデータのみをクライアントに転送することができるという効果が得られる。
【００７５】
具体的には、放送局等における編集システムに本発明を適用した場合には、ＦＴＰを利用する既存の編集システムにおけるソフトウェアの変更を最小限に抑えつつ、ＡＶサーバーに記録されている１つのファイルのうちの一部分のＡＶデータのみを編集端末に読み込んで、編集作業の迅速な開始や、編集作業にかかる手間や時間の減少や、編集端末が接続されているネットワークの負荷の軽減を実現することができる。
【図面の簡単な説明】
【図１】本発明を適用した編集システムの全体構成を示す図である。
【図２】図１のＡＶサーバーの構成の概要を示す図である。
【図３】図２のＲＡＩＤに記録されるデータのフォーマットを略示する図である。
【図４】図１の各編集端末が実行する処理を示すフローチャートである。
【図５】図４の処理でコマンドに続けられるファイル名を例示する図である。
【図６】図１のゲートウェイが実行する処理を示すフローチャートである
【符号の説明】
１  編集端末、  ２  ゲートウェイ、  ３  ＡＶサーバー、  ４  データベース、  ５  イーサネット、  １１  入力ポート、  １２  出力ポート、  １３  ＲＡＩＤ、  １４  ファイバーチャンネルのインターフェース、  １５  コントローラ、  １６  バス
【図１】
2004246614.tif 000003
【図２】
2004246614.tif 000004
【図３】
2004246614.tif 000005
【図４】
2004246614.tif 000006
【図５】
2004246614.tif 000007
【図６】
2004246614.tif 000008